(57)【特許請求の範囲】
【請求項１】
被験者の食事記録データから、被験者の生活習慣を数値化する解析項目算出処理と、
前記解析項目算出処理により算出された解析項目から望ましくない生活習慣を抽出する判定処理と、
前記食事記録データから具体的な生活習慣改善方法を提示する表示処理と、
を備える生活習慣解析方法であって、
朝と晩との体重差又は朝と翌朝との体重差と、摂取エネルギー量と、により生成する２次元分布図において、
食事内容の過少申告領域を設定し、被験者の食事記録データの正確性を判定する、
ことを特徴とする生活習慣解析方法。
【発明の詳細な説明】
【技術分野】
【０００１】
本発明は、生活習慣解析システム及び生活習慣解析方法に関するものである。
【背景技術】
【０００２】
メタボリックシンドロームや糖尿病などの生活習慣病の患者数増加が問題となっている。生活習慣病は生活習慣や肥満等が主な原因であり、糖尿病学会などのガイドラインでは、治療の第一選択は食事療法とされている。また標準的な食事療法は、被験者が医師や管理栄養士から１日の摂取エネルギー量と栄養配分の指導を受けた後に、「糖尿病食事療法のための食品交換表」（日本糖尿病学会による）や「四群点数法」（女子栄養大学による）を参考に、表や記録用紙に摂取栄養事項を書き込むことにより自己管理を継続して行うことが一般的である。
【０００３】
近年、パソコンの普及に伴い、上記作業をパソコン上で行えるプログラムも開発されている。被験者の体重や体脂肪に関するデータの時系列変化をグラフ表示するプログラムや、摂取エネルギーや栄養素の摂取状態を数値化し、厚生労働省の国民健康・栄養調査報告書等の日本人の標準的な栄養摂取目標との比較により、過不足を判定し提示するプログラムが存在する。
【０００４】
例えば、特許文献１には、表示された複数の食品の画像の中から、被験者が飲食した食品と同等のものを選択することにより、摂取エネルギーや蛋白質・脂質・炭水化物の各摂取エネルギー比率（以下、ＰＦＣ比率とよぶ。）を数値化し、更に請求項１や段落［００３８］に示されているように、数値化された値と予め定めてある値とを比較して充足率を算出し、その結果から食事に対するアドバイスを表示する食生活診断装置及び食習慣診断プログラムが開示されている。
【０００５】
更に、特許文献２には、蛋白質の充足率、ＰＦＣ比率、総摂取エネルギーに対する菓子などの嗜好品からの摂取エネルギー比率、総摂取エネルギーに対するアルコール類からの摂取エネルギー比率、一日の総摂取エネルギーに対する夕食からの摂取エネルギー比率などを数値化し表示することが開示されている（特許文献２の第６図、第８図、第９図、第１０図参照）。
【０００６】
また被験者毎に個別化された生活習慣改善を支援するシステムの一例として特許文献３がある。かかる特許文献３には、検査結果と問診票を利用した生活習慣改善の支援方法が開示されている。請求項１及び段落［００３０］や図６に示されている３８項目の生活習慣に関する問診票には、例えば「煮物などの味付けが濃いほうである」、「アルコールは日本酒換算で１日１合飲む」などが記載されており、被験者が各項目について該当するかどうか回答を記入していく。この様にして得られた問診結果と検査結果を、検査結果は検査値得点テーブルで、また問診結果は生活習慣得点テーブルで得点化し、点数化された検査値得点データと生活習慣得点データとから２次元分布図を作成し、各被験者の改善が望まれる項目を提示すると共に、図８に示されているように優先して改善すべき生活習慣の３項目、例えば「タバコをやめる！」、「アルコールは１日１合まで！」などを提示することが開示されている。
【先行技術文献】
【特許文献】
【０００７】
【特許文献１】特開２００６−２４０８０号公報
【特許文献２】特開２００３−３２３５０３号公報
【特許文献３】特開２００６−１１９９８５号公報
【発明の概要】
【発明が解決しようとする課題】
【０００８】
現状の標準的な食事療法において、被験者自身がどの様な生活習慣が望ましくないのかを把握しないまま、食事制限をさせられ、その状況に苦しみ、食事療法に消極的になってしまうことも少なくない。生活習慣病改善の理想的な姿は、被験者が自らの力で適正な生活習慣を日常的に行えるようになることである。そのためには、被験者の生活習慣を分析し、疾患の原因となる被験者の望ましくない習慣を特定し、被験者が自らの意志で生活習慣を改善するよう支援することが重要となる。このため、望ましくない生活習慣を数値化し、具体的な改善項目を提示し、被験者が数値の変化として改善効果を実感できるような生活習慣解析システムの開発が望まれている。
【０００９】
しかしながら、生活習慣病は一つの生活習慣によって引き起こされるわけではなく、また、生活習慣病の原因となる生活習慣は個人によって異なると考えられる。したがって、病気の原因を特定する指標になりうると同時に、その病気の症状を引き起こす因子でもあると考えられる生活習慣を、特定することができる方法の創出は大きな課題である。
【００１０】
また、体重や体脂肪率は測定装置で計測された精度が満足できる項目であるが、食事内容の数値化は、被験者の食事内容の過少申告など、その数値化された項目の測定精度を如何に確保するかが重要であり、何らかの手段で、申告された食事内容が正確かどうかを評価する必要がある。
【課題を解決するための手段】
【００１１】
前記の課題を解決するため、本発明に係る生活習慣解析システムは、被験者の身体データ及び食事記録データを取得するデータ取得手段と、前記食事記録データから、被験者の生活習慣を数値化する解析項目算出手段と、前記身体データ及び解析項目から望ましくない生活習慣を抽出する判定手段と、前記身体データ及び食事記録データから具体的な生活習慣改善方法を提示する表示手段と、を備えることを特徴とする。
【００１２】
また、本発明に係る生活習慣解析方法は、被験者の食事記録データから、被験者の生活習慣を数値化する解析項目算出処理と、前記食事記録データの正確性を判定する処理と、前記解析項目算出処理により算出された解析項目から望ましくない生活習慣を抽出する判定処理と、前記食事記録データから具体的な生活習慣改善方法を提示する表示処理と、を備えることを特徴とする。
【発明の効果】
【００１３】
本発明によれば、被験者の望ましくない生活習慣を特定し、具体的な改善項目を提示し、改善項目の数値の変化として効果を実感することにより、被験者が自らの力で適正な生活習慣を日常的に行えるよう支援することが可能となる。
【図面の簡単な説明】
【００１４】
【図１】本発明の一実施形態に係る生活習慣解析システムの構成を示す図である。
【図２】本発明の一実施形態に係る生活習慣解析方法全体のフローチャートである。
【図３】本発明の一実施形態に係る被験者の生データ取得処理のフローチャートである。
【図４】本発明の一実施形態に係る被験者の食習慣解析項目算出処理のフローチャートである。
【図５】本発明の一実施形態に係る被験者の体型判定処理のフローチャートである。
【図６】本発明の一実施形態に係る被験者の体型判定結果の一例を示す図である。
【図７】本発明の一実施形態に係る被験者の食習慣判定処理のフローチャートである。
【図８】本発明の一実施形態に係る被験者の食習慣判定結果の一例を示す図である。
【図９】本発明の一実施形態に係る被験者の摂食リズムグラフの一例を示す図である。
【図１０】本発明の一実施形態に係る被験者の生活リズム判定処理のフローチャートである。
【図１１】本発明の一実施形態に係る被験者の生活リズムグラフの一例を示す図である。
【図１２】本発明の一実施形態に係る被験者の生活リズム判定処理の一例を示す説明図である。
【図１３】本発明の一実施形態に係る被験者の各栄養成分量及び食品カテゴリー別の摂取量に関する日次推移表の一例を示す図である。
【図１４】本発明の一実施形態に係る被験者の日次食事記録分析表の一例を示す図である。
【図１５】本発明の一実施形態に係る被験者の生活習慣判定結果月次推移表の一例を示す図である。
【図１６】本発明の一実施形態に係る被験者の身体データ及び歩数データ月次推移グラフの一例を示す図である。
【図１７】本発明の一実施形態に係る被験者の摂取栄養成分量月次推移グラフの一例を示す図である。
【図１８】本発明の一実施形態に係る被験者の摂取リズム月次推移グラフの一例を示す図である。
【図１９】本発明の一実施形態に係る被験者の食品カテゴリー別摂取量月次推移グラフの一例を示す図である。
【図２０】本発明の一実施形態に係る被験者の生活習慣解析結果月次推移表の一例を示す図である。
【発明を実施するための形態】
【００１５】
以下、本発明の実施形態について、図面に基づいて説明する。なお、以下の具体例は本発明に係る最良の実施形態の一例であるが、これによって本発明はかかる具体的形態に限定されるものではない。
【００１６】
＜システム構成＞
図１は、本発明の一実施形態に係る生活習慣解析システム１の概略構成を示す図である。図１に示すように、本発明の生活習慣解析システム１は、インターネット８を介して指導者端末装置６及び被験者端末装置７と接続可能である。生活習慣解析システム１は、生活習慣解析Ｗｅｂ／アプリケーション（ＡＰ）サーバ２と、受信記録データベース（ＤＢ）メールサーバ３と、食品データベース（ＤＢ）サーバ４と、症例データベース（ＤＢ）サーバ５とから構成され、これらのサーバは、イントラネット９を介して接続されている。
【００１７】
生活習慣解析Ｗｅｂ／ＡＰサーバ２、受信記録ＤＢメールサーバ３、食品ＤＢサーバ４、症例ＤＢサーバ５は、それぞれ、主記憶装置１１，２１，３１，４１と、補助記憶装置１２，２２，３２，４２と、中央処理装置１３，２３，３３，４３と、入力装置１４，２４，３４，４４と、出力装置１５，２５，３５，４５と、内部通信装置１６，２６，３６，４６とを有し、さらに、生活習慣解析Ｗｅｂ／ＡＰサーバ２は外部通信装置１７を有し、受信記録ＤＢメールサーバ３は外部通信装置２７を有する。これらの装置は各サーバ内においてバスによって相互に接続されている。
【００１８】
主記憶装置１１，２１，３１，４１は、ＲＯＭやＲＡＭである。補助記憶装置１２，２２，３２，４２は、一般的にはハードディスク又はフラッシュメモリであるが、ＣＤ、ＤＶＤ、又はＭＯ等の、プログラム及びデータの書き換えを実行できる記録媒体であってもよい。
【００１９】
入力装置１４，２４，３４，４４は、生活習慣解析システム１に各種データを入力するための装置であり、例えば、キーボードやマウス等の入力機器である。出力装置１５，２５，３５，４５は、生活習慣解析システム１内に格納されている各種データを出力するための装置であり、例えば、プリンタ等の印刷装置や、ＣＲＴ，ＬＣＤ，ＰＤＰ等の表示装置である。
【００２０】
指導者端末装置６は、指導者が操作する端末装置であり、１又は複数台存在する。ここでいう指導者とは、生活習慣の解析を受ける者（以下、被験者とよぶ。）に対し生活習慣改善指導を行う者のことであり、例えば、医師、保健師、管理栄養士、看護師などである。指導者端末装置６は、Ｗｅｂブラウザ機能を有するコンピュータである。
【００２１】
被験者端末装置７は、被験者が操作する端末装置であり、１又は複数台存在する。被験者端末装置７は、電子メール機能を有するコンピュータや携帯電話である。
【００２２】
＜生活習慣解析Ｗｅｂ／ＡＰサーバ２＞
Ｗｅｂ管理部５１、指導者認証部５２、生データ登録部５３、生活習慣解析部５４は、生活習慣解析Ｗｅｂ／ＡＰサーバ２において、補助記憶装置１２に格納されているプログラムである。これらのプログラムの機能は、中央処理装置１３が、補助記憶装置１２から各プログラムを主記憶装置１１に読み出して、所定の処理を実行することにより実現される。
【００２３】
生活習慣解析Ｗｅｂ／ＡＰサーバ２は、インターネット８を介して指導者端末装置６と情報を送受信する外部通信装置１７を有する。この情報の送受信は、指導者が行うＷｅｂアクセスにより可能となる。このＷｅｂアクセスを指導者ごとに管理するためのプログラムが、Ｗｅｂ管理部５１と指導者認証部５２である。
【００２４】
指導者は、指導者端末装置６を介して生活習慣解析Ｗｅｂ／ＡＰサーバ２に対しＷｅｂアクセスを行い、指導者認証に成功すると、この指導者端末装置６を介して、生活習慣解析システム１に対する各種データの入力と、生活習慣解析システム１内に格納されている各種データの出力とを行うことができる。
【００２５】
生データ登録部５３は、生活習慣解析システム１において、被験者の生データを被験者ごとに管理するためのプログラムである。生データ登録部５３は、生活習慣解析システム１に対し入力された被験者の生データを取得し、この被験者の生データを、補助記憶装置１２に格納されている被験者データベース（ＤＢ）６１に、被験者ごとに被験者データとして記憶する処理等を実行する。被験者の生データとしては、被験者の属性データと実践記録データとがある。
【００２６】
被験者の属性データは、指導者が被験者を生活習慣解析システム１に新規登録する際、この被験者の初期情報として入力するものである。被験者の属性データとしては、被験者ＩＤ、氏名、性別、かかっている医療機関名、カルテ番号、指導担当者名、生年月日、身長、体重、体脂肪率、朝食・昼食・夕食の各食事時間、メールアドレス、電話番号、住所等が挙げられる。
【００２７】
被験者の実践記録データとしては、日次身体計測データ、日次食事記録データ、日次歩数データ等があり、生活習慣解析システム１は、これらの実践記録データを基にして、本発明に係る生活習慣解析を実行する。
【００２８】
日次身体計測データとしては、１日ごとの朝の体重，晩の体重，朝の体脂肪率，晩の体脂肪率等が挙げられる。これらの日次身体計測データは、体重計や体脂肪計等により、被験者が自ら測定する。測定するタイミングとしては、朝の体重及び朝の体脂肪率については、被験者が起床して排尿直後に測定を行うのが好ましく、晩の体重及び晩の体脂肪率については、被験者が就寝する直前に測定を行うのが好ましい。
【００２９】
日次食事記録データは、１日ごとの朝食、昼食、間食、夕食の各食事内容の記録データである。ここでは、この４食は、１日において被験者が食事を摂取する時間帯によって、区分されている。すなわち、ここでいう間食とは、昼食と夕食との間に摂取する食事のことであり、一方、朝食と昼食との間の食事は昼食に分類され、夕食摂取後の夜食は夕食に分類される。
食事内容としては、被験者が摂取した食品名又は料理名と、これらの摂取分量とを記録すればよい。食品名とは、例えば、豆腐やバナナ等の食材名のことであり、料理名とは、例えば、握り寿司やカレーライス等である。食品の摂取分量の表記方法は、個数表記（例えば、なす１本等）又は重量表記（例えば、大根９０ｇ等）でもよいし、通常の１食分を基準とした数量表記（例えば、キャベツ２食分等）でもよい。さらに、飲料類又は酒類の摂取分量の表記方法は、前記３つの表記方法に加え、容量表記（例えば、紅茶１８０ｍｌ等）でもよい。料理の摂取分量の表記方法は、基本的に、通常の１人前を基準とした数量表記（例えば、酢豚１．５人前等）が望ましいが、個数や重量が把握しやすい料理に関しては、個数表記（例えば、水餃子３個等）又は重量表記（例えば、ステーキ９０ｇ等）でもよい。また、食品や料理の摂取分量が、通常の１食分や１人前である場合、生活習慣解析システム１においては、食事内容として、食品名や料理名のみを記録すればよく、これらの摂取分量の表記を省略することができる。
【００３０】
日次歩数データは、１日ごとの歩数データであり、歩数計等により、被験者が自ら測定する。
【００３１】
また、生活習慣解析システム１は、被験者の実践記録データとして、被験者による１日ごとの日常生活に関するメモも登録することができる。このメモは、指導者がこの被験者に対し生活習慣指導を行う際に、参考資料として利用することができる。
【００３２】
被験者の実践記録データは、次の３つの手段の内いずれかの手段により生活習慣解析システム１に登録される。
１つめの手段としては、被験者が、被験者端末装置７を介して、この被験者の実践記録データを電子メールに記載し、この電子メールを受信記録ＤＢメールサーバ３に送信する方法がある。
２つめの手段としては、被験者が実践記録用紙にこの被験者の実践記録データを連続７日分まとめて記載して、この用紙を指導者に郵送又はＦＡＸ送信し、この用紙を受け取った指導者が、この用紙に記載された前記被験者の実践記録データを、生活習慣解析システム１に入力する方法がある。なお、この２つめの手段において指導者が行う作業を、指導者から委託を受けた者が行ってもよい。
３つめの手段としては、指導者が、被験者と面接する際に、この被験者の身体計測と、この被験者に対する問診とを行い、この身体計測とこの問診とにより得たこの被験者の実践記録データを、生活習慣解析システム１に入力する方法がある。
【００３３】
生活習慣解析部５４は、本発明に係る生活習慣解析処理を実行するためのプログラムである。生活習慣解析部５４は、指導者により指定された被験者の生活習慣解析を行い、この被験者の生活習慣解析結果データを、被験者ＤＢ６１に、被験者ごとに被験者データとして記憶する処理等を実行する。
【００３４】
被験者の生活習慣解析結果データは、生活習慣解析システム１において、生活習慣解析部５４の機能により、月次データとして生成される。本発明に係る生活習慣解析を実行するためには、被験者データとして、属性データと、１ヶ月につき少なくとも１日分の実践記録データとが生活習慣解析システム１に予め入力されている必要がある。ただし、生活習慣解析システム１は、１ヶ月につき１週間を対象期間として、被験者の生活習慣解析を行うため、被験者の実践記録データについては、１ヶ月につき連続７日分のデータが入力されていることが最も望ましい。
【００３５】
また、生活習慣解析システム１において、指導者は、被験者を指定し生活習慣解析を行う際に、この被験者の月次検査データを生活習慣解析システム１に入力することができる。ここでいう検査データとは、生活習慣病（高血圧、糖尿病、脂質異常症、メタボリックシンドローム）に関連する検査項目の値であり、例えば、収縮期血圧、拡張期血圧、空腹時血糖値、ヘモグロビンＡ１ｃ値、総コレステロール値、ＬＤＬコレステロール値、ＨＤＬコレステロール値、トリグリセライド値、腹囲等が挙げられる。これらの検査データの入力は必須ではないが、指導者がこれらの検査データを入力し、被験者の生活習慣解析を行えば、これらの検査データはこの被験者の生活習慣解析結果データの一部として組み入れられる。
【００３６】
被験者ＤＢ６１は、各種の被験者データを被験者ごとに記憶しているデータベースであり、生活習慣解析Ｗｅｂ／ＡＰサーバ２の補助記憶装置１２に格納されている。指導者は、生活習慣解析システム１に被験者を新規登録する際、被験者ごとに異なる被験者ＩＤを登録する。生活習慣解析システム１においては、この被験者ＩＤが、被験者を特定するための識別子となり、被験者データが被験者ごとに管理される。
【００３７】
＜受信記録ＤＢメールサーバ３＞
メール管理部５５とデータベース（ＤＢ）管理部５６とは、受信記録ＤＢメールサーバ３において、補助記憶装置２２に格納されているプログラムである。メール管理部５５は電子メールの送受信を実行し、ＤＢ管理部５６は、受信記録データを受信記録データベース（ＤＢ）６２に書き込む処理と、記録済みの受信記録データを受信記録ＤＢ６２から生活習慣解析Ｗｅｂ／ＡＰサーバ２の生データ登録部５３に移動させる処理とを実行する。これらのプログラムの機能は、中央処理装置２３が、補助記憶装置２２から各プログラムを主記憶装置２１に読み出して、所定の処理を実行することにより実現される。なお、受信記録ＤＢ６２からの記録済み受信記録データの移動処理は、生活習慣解析Ｗｅｂ／ＡＰサーバ２の生データ登録部５３による新規受信記録データの問合せ処理に呼応して、実行される。
【００３８】
受信記録ＤＢメールサーバ３は、インターネット８を介して被験者端末装置７と情報を送受信する外部通信装置２７を有する。この情報の送受信は電子メールにより行われる。被験者が、被験者端末装置７を介して、受信記録ＤＢメールサーバ３に対し電子メールを送信すると、この電子メールのデータはメール管理部５５の機能により受信記録ＤＢメールサーバ３に受信される。ＤＢ管理部５６は、この受信された電子メールのデータを取得し、このデータを、補助記憶装置２２に格納されている受信記録データベース（ＤＢ）６２に、受信記録データとして記憶する。
また、生活習慣解析システム１は、メール管理部５５の機能により、被験者向けのアドバイスや励まし等の電子メールを被験者端末装置７に対し送信する。
【００３９】
受信記録ＤＢ６２は、被験者が生活習慣解析システム１に対し送信した電子メールの受信記録データを、記憶しているデータベースであり、受信記録ＤＢメールサーバ３の補助記憶装置２２に格納されている。受信記録データの内容は被験者の実践記録データである。これらの実践記録データは、受信記録ＤＢ６２においてはメールアドレスごとに記憶されており、生活習慣解析Ｗｅｂ／ＡＰサーバ２の生データ登録部５３の機能により、被験者ＤＢ６１において被験者データとして登録される際に被験者ごとに記憶される。
【００４０】
＜食品ＤＢサーバ４＞
ＤＢ管理部５７は、食品ＤＢサーバ４において、補助記憶装置３２に格納されているプログラムである。ＤＢ管理部５７は、補助記憶装置３２に格納されている食品データベース（ＤＢ）６３に、食品データを書き込む処理と、記憶済みの食品データを食品ＤＢ６３から読み出して生活習慣解析Ｗｅｂ／ＡＰサーバ２に送信する処理とを実行する。このプログラムの機能は、中央処理装置３３が、補助記憶装置３２からこのプログラムを主記憶装置３１に読み出して、所定の処理を実行することにより実現される。なお、食品ＤＢ６３からの記憶済み食品データの読み出し送信処理は、生活習慣解析Ｗｅｂ／ＡＰサーバ２の生活習慣解析部５４による食品データの問合せ処理に呼応して、実行される。
【００４１】
食品ＤＢ６３は、食品データを記憶しているデータベースであり、食品ＤＢサーバ４の補助記憶装置３２に格納されている。生活習慣解析システム１においては、本発明に係る生活習慣解析の処理の一部として、被験者の食事記録分析処理が実行されるが、この食事記録分析処理実行の際に、これらの食品データが必要となる。
【００４２】
食品ＤＢ６３において、各食品は、嗜好品類、酒類、料理類、のいずれか１つの食品カテゴリーに分類されている。嗜好品類としては、果物、乳製品、飲料類、洋菓子、和菓子がある。
【００４３】
食品データとしては、食品又は料理ごとに、食品（料理）名、可食部重量、個数、栄養成分量等の項目が存在する。飲料類又は酒類は、食品データとして、これら４つの項目に加え、可食部容量の項目を有する。食品データの栄養成分量としては、エネルギー量、蛋白質量、脂質量、炭水化物量、食物繊維量、食塩量等が挙げられる。また、食品ＤＢ６３において、各食品データの可食部重量（容量），個数，及び栄養成分量は、類似食品（料理）同士の荷重平均値として記憶されており、基本的に、通常の１食分や１人前の量が記憶されている。このように、食品データとして、数量に関する多様な項目が存在するため、生活習慣解析システム１は、被験者の食事記録分析を行う際、被験者の食事記録データにおける摂取食品・料理の多様な分量表記（個数表記、重量表記、容量表記、通常の１食分・１人前を基準とした数量表記等）に、対応することが可能となる。
【００４４】
＜症例ＤＢサーバ５＞
ＤＢ管理部５８は、症例ＤＢサーバ５において、補助記憶装置４２に格納されているプログラムである。ＤＢ管理部５８は、補助記憶装置４２に格納されている症例データベース（ＤＢ）６４に、症例データを書き込む処理と、記録済みの症例データを症例ＤＢ６４から読み出して生活習慣解析Ｗｅｂ／ＡＰサーバ２に送信する処理とを実行する。このプログラムの機能は、中央処理装置４３が、補助記憶装置４２からこのプログラムを主記憶装置４１に読み出して、所定の処理を実行することにより実現される。なお、症例データの書き込み処理及び読み出し送信処理は、生活習慣解析Ｗｅｂ／ＡＰサーバ２の生活習慣解析部５４による生活習慣解析処理に呼応して、実行される。
【００４５】
症例ＤＢ６４は、生活習慣解析システム１において、本発明に係る生活習慣解析が行われた被験者に関するデータを、症例データとして記憶しているデータベースであり、症例ＤＢサーバ５の補助記憶装置４２に格納されている。この症例データは、医療機関にかかっている被験者の疾患名の種類ごとに記憶されており、高血圧、糖尿病、脂質異常症、メタボリックシンドローム、健常者、の５種類の疾患群に分類される。
【００４６】
生活習慣解析Ｗｅｂ／ＡＰサーバ２の生活習慣解析部５４は、被験者の生活習慣解析結果データを生成すると、この生活習慣解析結果データに対し、２つの同時処理を実行する。一つめの処理は、この生活習慣解析結果データをこの被験者の被験者データとして被験者ＤＢ６１に記憶することである。もう一つの処理は、この生活習慣解析結果データを、この被験者の疾患名により、前記５種類の疾患群のいずれかに分類するとともに匿名化し、この匿名化された生活習慣解析結果データを、疾患群ごとに症例データとして症例ＤＢ６４に登録することである。このようにして、生活習慣解析システム１において、症例データが蓄積されていくと、各疾患群の生活習慣解析結果データを比較することにより、各疾患群における生活習慣の特徴を把握して、生活習慣病と生活習慣との関連を明らかにすることが可能となる。
【００４７】
なお、図１では、生活習慣解析システム１は、生活習慣解析Ｗｅｂ／ＡＰサーバ２と、受信記録ＤＢメールサーバ３と、食品ＤＢサーバ４と、症例ＤＢサーバ５とに分かれて構成されているが、これら４つのサーバは１つのサーバとして統合されて構成されていてもよい。
【００４８】
＜生活習慣解析方法＞
次に、本発明の一実施形態に係る生活習慣解析方法について説明する。図２は、生活習慣解析方法全体の手順を示すフローチャートである。本発明に係る生活習慣解析方法の処理手順は、被験者の生データ取得処理（ステップＳ１０１）、被験者の食習慣解析項目算出処理（ステップＳ１０２）、被験者の生活習慣判定処理（ステップＳ１０３）、被験者の生活習慣改善方法提示処理（ステップＳ１０４）、被験者の行動変容提示処理（ステップＳ１０５）、の順番で実行される。また、被験者の生活習慣判定処理では、体型判定処理（ステップＳ１０３−１）と、食習慣判定処理（ステップＳ１０３−２）と、生活リズム判定処理（ステップＳ１０３−３）と、の３つの判定処理が行われる。これらステップＳ１０１〜ステップＳ１０５の各処理の内容の詳細を以下に述べる。
なお、以降の説明において、プログラムがデータを取得する旨を記載した場合、このプログラムを格納しているサーバの主記憶装置に、このデータを一時的に格納することを意味する。また、以降の説明において、データベースにデータを登録する旨を記載した場合、このデータベースを格納しているサーバの補助記憶装置に、このデータを記憶することを意味する。
【００４９】
まず、被験者の生データ取得処理（ステップＳ１０１）について説明する。図３は、被験者の生データ取得処理の手順を示すフローチャートである。ステップＳ１１１において、生データ登録部５３は、指導者が生活習慣解析システム１に対し指定した被験者の、生データ登録要求を受け付ける。
【００５０】
ステップＳ１１２において、生データ登録部５３は、前記被験者の新規受信記録データが生活習慣解析システム１に登録されているか否かを判断する。ここでいう新規受信記録データとは、被験者データとしてまだ被験者ＤＢ６１に登録されていない受信記録データのことである。生データ登録部５３は、ＤＢ管理部５６に対し、前記被験者のメールアドレスを指定して新規受信記録データの問合せを行い、ＤＢ管理部５６は、このメールアドレスを検索キーとして受信記録ＤＢ６２を検索する。ここで、受信記録ＤＢ６２において前記被験者の受信記録データが、存在する場合（ステップＳ１１２でＹＥＳ）は、ステップＳ１１３に進み、一方、存在しない場合（ステップＳ１１２でＮＯ）は、ステップＳ１１４に進む。
【００５１】
ステップＳ１１３において、ＤＢ管理部５６は、ステップＳ１１２において受信記録ＤＢ６２に登録されていた前記被験者の受信記録データを全て、受信記録ＤＢ６２から生データ登録部５３に移動させ、生データ登録部５３は、この受信記録データを取得し、前記被験者の被験者データとして被験者ＤＢ６１に登録する。
ステップＳ１１２及びステップＳ１１３の処理により、前記被験者の新規受信記録データは全て、生データ登録部５３に取得され、被験者ＤＢ６１に登録されることになる。
なお、前述したように、被験者の受信記録データには、この被験者の実践記録データが記載されている。
【００５２】
ステップＳ１１４において、生データ登録部５３は、前記被験者の生データ入力を受け付けたか否かを判断する。生データ登録部５３は、前記被験者の生データ入力を受け付けていないと判断した場合（ステップＳ１１４でＮＯ）、被験者の生データ取得処理を終了する。一方、前記指導者により前記被験者の生データ入力が行われ、生データ登録部５３がこの生データ入力を受け付けた場合（ステップＳ１１４でＹＥＳ）は、ステップＳ１１５に進む。
【００５３】
ステップＳ１１５において、生データ登録部５３は、ステップＳ１１４において受け付けられた前記被験者の生データを取得し、前記被験者の被験者データとして被験者ＤＢ６１に登録する。
【００５４】
この被験者の生データ取得処理により取得された被験者の生データを基にして、被験者の食習慣解析項目算出処理（ステップＳ１０２）及び生活習慣判定処理（ステップＳ１０３）が行われる。
【００５５】
次に、被験者の食習慣解析項目算出処理（ステップＳ１０２）について説明する。図４は、被験者の食習慣解析項目算出処理の手順を示すフローチャートである。この処理では、生活習慣解析部５４は、７日間を生活習慣解析対象期間とし、ステップＳ１０１の処理により取得された被験者の食事記録データ及び身長データを基にして、被験者の食習慣解析項目算出処理を実行する。なお、前述したように、被験者の食事記録データにおいては、被験者が摂取した食品・料理は、食事（朝食、昼食、間食、夕食）別に記録されている。
【００５６】
食習慣解析項目は、栄養成分関連項目と、食品カテゴリー関連項目と、摂食リズム関連項目と、の３種類に大別される。
栄養成分関連項目としては、摂取エネルギー量、蛋白質比率、脂質比率、炭水化物比率、推奨蛋白質比率、等の項目がある。蛋白質比率、脂質比率、炭水化物比率は、総摂取エネルギー量に対する、蛋白質，脂質，炭水化物からの各摂取エネルギー量の比率として算出される。推奨蛋白質比率は、被験者の標準体重（ｋｇ）に対する１日当りの摂取蛋白質量（ｇ）の比率として算出される。なお、標準体重とは、ＢＭＩが２２となる時の体重のことであり、被験者の身長データを基にして、標準体重（ｋｇ）＝２２×身長（ｍ）×身長（ｍ）の式で算出される。
食品カテゴリー関連項目としては、嗜好品比率、酒類比率、等の項目がある。嗜好品比率、酒類比率は、総摂取エネルギー量に対する、嗜好品，酒類からの各摂取エネルギー量の比率として算出される。
摂食リズム関連項目としては、朝食比率、昼食比率、間食比率、夕食比率、等の項目がある。朝食比率、昼食比率、間食比率、夕食比率は、総摂取エネルギー量に対する、朝食，昼食，間食，夕食からの各摂取エネルギー量の比率として算出される。
【００５７】
ステップＳ１２１において、生活習慣解析部５４は、被験者の食事記録データを基にして、食事記録分析処理を行う。この処理では、生活習慣解析部５４は、この被験者の摂取食品・料理ごとに、食品ＤＢ６３に記憶されている食品データを参照することにより、食品カテゴリーの分類を行うと同時に各摂取栄養成分量を算出する。なお、栄養成分量とは、前述したような、エネルギー量、蛋白質量、脂質量、炭水化物量、食物繊維量、食塩量等のことである。
【００５８】
次に生活習慣解析部５４は、ステップＳ１２１による処理結果を基にして、前記被験者の食事（朝食、昼食、間食、夕食）ごとの各摂取栄養成分量を算出し（ステップ１２２）、この算出結果と前記被験者の身長データとを基にして、前記被験者の食事ごとの栄養成分関連項目を算出する（ステップＳ１２３）。
【００５９】
ステップＳ１２４において、生活習慣解析部５４は、ステップＳ１２１による処理結果を基にして、前記被験者の１日ごとの、各摂取栄養成分量の算出（ステップＳ１２４−１）と、食品カテゴリー別の摂取エネルギー量の算出（ステップＳ１２４−２）と、食事別の摂取エネルギー量の算出（ステップＳ１２４−３）とを行う。
なお、ステップＳ１２４−１において算出された前記被験者の摂取エネルギー量の日次データは、次の生活リズム判定処理（ステップＳ１０３−３）でも用いられる。
【００６０】
次にステップ１２５において、生活習慣解析部５４は、ステップＳ１２４−１において算出された各摂取栄養成分量の日次データを平均することにより、前記被験者の１日当りの各摂取栄養成分量を算出し（ステップＳ１２５−１）、また、ステップＳ１２４−２において算出された食品カテゴリー別摂取エネルギー量の日次データを平均することにより、前記被験者の１日当りの食品カテゴリー別摂取エネルギー量を算出し（ステップＳ１２５−２）、また、ステップＳ１２４−３において算出された食事別摂取エネルギー量の日次データを平均することにより、前記被験者の１日当りの食事別摂取エネルギー量を算出する（ステップＳ１２５−３）。
【００６１】
次にステップ１２６において、生活習慣解析部５４は、生活習慣解析対象期間における前記被験者の食習慣解析項目を算出する。
ステップ１２６−１において、生活習慣解析部５４は、ステップＳ１２５−１において各摂取栄養成分量の日次データの平均値として算出されたデータと、前記被験者の身長データと、を基にして、前記被験者の栄養成分関連項目（摂取エネルギー量、蛋白質比率、脂質比率、炭水化物比率、推奨蛋白質比率）を算出する。
ステップ１２６−２において、生活習慣解析部５４は、ステップＳ１２５−１において摂取エネルギー量の日次データの平均値として算出されたデータと、ステップＳ１２５−２において食品カテゴリー別摂取エネルギー量の日次データの平均値として算出されたデータと、を基にして、前記被験者の食品カテゴリー関連項目（嗜好品比率、酒類比率）を算出する。
ステップ１２６−３において、生活習慣解析部５４は、ステップＳ１２５−１において摂取エネルギー量の日次データの平均値として算出されたデータと、ステップＳ１２５−３において食事別摂取エネルギー量の日次データの平均値として算出されたデータと、を基にして、前記被験者の摂食リズム関連項目（朝食比率、昼食比率、間食比率、夕食比率）を算出する。
ステップＳ１２６の処理により算出されたこれらの食習慣解析項目が、次の食習慣判定処理（ステップＳ１０３−２）で用いられる。
【００６２】
このように、被験者の食習慣解析項目算出処理により、被験者の食習慣が食習慣解析項目として数値化され、この数値化された食習慣解析項目等を基にして、被験者の生活習慣判定処理（ステップＳ１０３）が行われる。
【００６３】
次に、被験者の生活習慣判定処理（ステップＳ１０３）について説明する。この処理では、生活習慣解析部５４は、１週間を生活習慣解析対象期間とし、ステップＳ１０１の処理により取得された被験者の生データと、ステップＳ１０２の処理により算出されたこの被験者の食習慣解析項目等と、を基にして、この被験者の生活習慣を判定し、改善すべき生活習慣を抽出する。ステップＳ１０３では、体型判定処理（ステップＳ１０３−１）と、食習慣判定処理（ステップＳ１０３−２）と、生活リズム判定処理（ステップＳ１０３−３）とが実行される。ステップＳ１０３−１，Ｓ１０３−２，Ｓ１０３−３の各処理内容の詳細については、それぞれ図５、図７、図１０に示す。
なお、ステップＳ１０３において、被験者の生活習慣を判定する際に使用する各判定基準や各目標基準は、最も好ましい基準値として本願出願人が設定した初期値であるが、この値に限定するものではなく、指導者の所属する施設や指導者独自の判断基準などを考慮して、必要に応じて各判定基準や各目標基準を変更してもよい。
【００６４】
まず、被験者の体型判定処理（ステップＳ１０３−１）について説明する。図５は、被験者の体型判定処理の手順を示すフローチャートである。ステップＳ１０３−１においては、生活習慣解析部５４は主に、生活習慣解析対象期間における被験者の各身体データの平均値等を算出し、身体データに関するこれらの数値を基にして、この被験者の体型のタイプ分類を行う。なお、身体データとは、身長、体重、ＢＭＩ、標準体重、体脂肪率、除脂肪体重等のことである。
【００６５】
ステップＳ１３１において、生活習慣解析部５４は、被験者の身長データを基にして、この被験者の標準体重（ＮＷ）を算出する。
【００６６】
ステップＳ１３２において、生活習慣解析部５４は、生活習慣解析対象期間における前記被験者の日次身体計測データを基にして、前記被験者の各身体計測データ（朝の体重，晩の体重，朝の体脂肪率，晩の体脂肪率）の平均値を算出する。なお、以降の説明において、単に体重の平均値と記載した場合、朝の体重の平均値を意味する。
【００６７】
ステップＳ１３３において、生活習慣解析部５４は、ステップＳ１３２において算出された各身体計測データの平均値を基にして、前記被験者の、朝晩の体重差の平均値と、朝晩の体脂肪率差の平均値とを算出する。なお、朝晩の体重差の平均値は、晩の体重の平均値から朝の体重の平均値を引いて算出され、朝晩の体脂肪率差の平均値は、晩の体脂肪率の平均値から朝の体脂肪率の平均値を引いて算出される。
【００６８】
ステップＳ１３４において、生活習慣解析部５４は、前記被験者の身長データと、ステップＳ１３２において算出された体重の平均値とを基にして、前記被験者のＢＭＩの平均値を算出する。
【００６９】
ステップＳ１３５において、生活習慣解析部５４は、ステップＳ１３２において算出された体重の平均値及び体脂肪率の平均値を基にして、前記被験者の除脂肪体重の平均値を算出する。除脂肪体重とは、体重から体脂肪量を引いた値であり、除脂肪体重（ｋｇ）＝体重（ｋｇ）×（１００−体脂肪率％）／１００の式で算出され、主に筋肉及び骨格の重さが除脂肪体重となる。
【００７０】
ステップＳ１３６において、生活習慣解析部５４は、前記被験者の性別の判定を行う。ここで性別判定を行うのは、この後に行う体脂肪率判定及び除脂肪体重判定の際に、生活習慣解析部５４において予め定められた体脂肪率判定基準及び除脂肪体重判定基準が、被験者の性別によって異なるためである。
【００７１】
図５に示すように、ステップＳ１３７〜ステップＳ１３９において、生活習慣解析部５４は、ステップＳ１３２において算出された体脂肪率の平均値を、生活習慣解析部５４において予め定められた体脂肪率判定基準と照合し、前記被験者の体脂肪率（ＢＦ％）の判定を行う。この体脂肪率判定基準は被験者の性別によって異なる。男性の被験者では、体脂肪率の平均値が、１０％以上２０％未満である場合は「体脂肪率：適正」と判断され、２０％以上である場合は「体脂肪率：高い」と判断され、１０％未満である場合は「体脂肪率：低い」と判断される。一方、女性の被験者では、体脂肪率の平均値が、２０％以上３０％未満である場合は「体脂肪率：適正」と判断され、３０％以上である場合は「体脂肪率：高い」と判断され、２０％未満である場合は「体脂肪率：低い」と判断される。
体脂肪率が高い被験者は肥満傾向であるといえ、一方、体脂肪率が低い被験者はやせ傾向であるといえる。
【００７２】
図５に示すように、次にステップＳ１４０〜ステップＳ１４２において、生活習慣解析部５４は、ステップＳ１３５において算出された除脂肪体重の平均値を、生活習慣解析部５４において予め定められた除脂肪体重判定基準と照合し、前記被験者の除脂肪体重（ＬＢＭ）の判定を行う。この除脂肪体重判定基準は、ステップＳ１３１において算出された前記被験者の標準体重に基づき定められ、また、被験者の性別によって異なる。男性の被験者では、除脂肪体重の平均値が、前記被験者の標準体重の８０％以上９０％未満である場合は「除脂肪体重：適正」と判断され、前記被験者の標準体重の９０％以上である場合は「除脂肪体重：高い」と判断され、前記被験者の標準体重の８０％未満である場合は「除脂肪体重：低い」と判断される。一方、女性の被験者では、除脂肪体重の平均値が、前記被験者の標準体重の７０％以上８０％未満である場合は「除脂肪体重：適正」と判断され、前記被験者の標準体重の８０％以上である場合は「除脂肪体重：高い」と判断され、前記被験者の標準体重の７０％未満である場合は「除脂肪体重：低い」と判断される。
除脂肪体重が高い被験者は、除脂肪体重が低い被験者よりも、標準体重に対する筋肉量及び骨量の比率が高いといえる。
なお、体脂肪率判定基準及び除脂肪体重判定基準が、被験者の性別によって異なるのは、一般的に女性の方が男性よりも体脂肪率が高いためである。
【００７３】
図５に示すように、次にステップＳ１４３〜ステップＳ１４６において、生活習慣解析部５４は、ステップＳ１３９による体脂肪率判定結果と、ステップＳ１４２による除脂肪体重判定結果とを基にして、前記被験者の体型の判定を行う。
体脂肪率（ＢＦ％）及び除脂肪体重（ＬＢＭ）の判定結果がそれぞれ、「ＢＦ％適正，ＬＢＭ適正」であった場合は「体型：Ａタイプ」と判断され、「ＢＦ％高い，ＬＢＭ適正」であった場合は「体型：Ｂタイプ」と判断され、「ＢＦ％低い，ＬＢＭ適正」であった場合は「体型：Ａタイプ」と判断され、「ＢＦ％適正，ＬＢＭ高い」であった場合は「体型：Ａタイプ」と判断され、「ＢＦ％高い，ＬＢＭ高い」であった場合は「体型：Ｂタイプ」と判断され、「ＢＦ％低い，ＬＢＭ高い」であった場合は「体型：Ａタイプ」と判断され、「ＢＦ％適正，ＬＢＭ低い」であった場合は「体型：Ｄタイプ」と判断され、「ＢＦ％高い，ＬＢＭ低い」であった場合は「体型：Ｃタイプ」と判断され、「ＢＦ％低い，ＬＢＭ低い」であった場合は「体型：Ｅタイプ」と判断される。
このように、被験者の体型判定処理により、被験者の体型は５種類のタイプＡ〜Ｅのいずれかに分類される。
【００７４】
被験者の体型は被験者自身の生活習慣を反映しているものであり、被験者の体型判定処理の結果から、生活習慣解析を受けるまでの被験者の生活習慣を、以下のように大まかに分類し判定することができる。
Ａタイプ：生活習慣は適正
Ｂタイプ：運動量は適正で、食事摂取量が多い
Ｃタイプ：運動量が少なく、食事摂取量が多い
Ｄタイプ：運動量が不足
Ｅタイプ：栄養不良、運動量不足、又は太れない状態（代謝異常等による）
【００７５】
被験者の生活習慣の細かな問題点については、さらに詳細に他の生活習慣解析結果データを見て判断していくことになるが、被験者の体型判定結果は、被験者に対する生活習慣改善指導の大まかな基本方針を決定する際に役立てることができる。すなわち、被験者に対する生活習慣改善指導方針は、被験者の体型のタイプによって異なり、体型のタイプ別指導方針は以下のようになる。
Ａタイプ：生活習慣に関する細かな問題点の改善を目指す
Ｂタイプ：食生活の改善に重点をおく
Ｃタイプ：まず食生活の改善に重点をおき、その後運動量を増やす
Ｄタイプ：食生活を改善しながら運動量を増やす
Ｅタイプ：まず食生活の改善に重点をおき、その後運動量を増やす
なお、ＣタイプとＥタイプで、まず食生活の改善に重点をおくのは、いきなり運動量を増やすと、被験者の身体への負担が大きいと考えられるためである。
【００７６】
被験者の体型判定結果の一例を図６に示す。被験者の体型判定結果では、被験者のＢＭＩが図示され（図６中の矢印参照）、また、被験者の体型のタイプが体型タイプ分類図により図示される（図６中の丸印参照）。例えば、図６では、この被験者の体型はＢタイプであることが示されている。
【００７７】
次に、被験者の食習慣判定処理（ステップＳ１０３−２）について説明する。図７は、被験者の食習慣判定処理の手順を示すフローチャートである。ステップＳ１０３−２においては、生活習慣解析部５４は、ステップＳ１０２の処理により算出された被験者の食習慣解析項目を、生活習慣解析部５４において予め定められた食習慣解析項目目標基準と照合し、この被験者の食習慣の評価を行う。生活習慣解析部５４は、被験者の各食習慣解析項目が、この目標基準を満たした場合は「適正」と判断し、一方、この目標基準から外れた場合は「要改善」と判断する。
【００７８】
図７に示すように、ステップＳ１５１〜ステップＳ１５２において、生活習慣解析部５４は、ステップＳ１０２の処理により算出された被験者の推奨蛋白質比率を基にして、この被験者の推奨蛋白質比率を判定する。推奨蛋白質比率は、被験者の摂取蛋白質量を評価するための項目であり、その目標基準は１００％〜１３９％である。
蛋白質は生体の維持に不可欠な栄養素であるため、必要量以上の蛋白質を必ず摂取する必要がある。その一方、蛋白質の過剰摂取は腎臓への負担が大きくなるなど体に悪影響を及ぼす可能性がある。したがって、被験者の食習慣においては、蛋白質の摂取不足、又は蛋白質の過剰摂取は、改善すべき問題点となる。
【００７９】
図７に示すように、ステップＳ１５３〜ステップＳ１５４において、生活習慣解析部５４は、ステップＳ１０２の処理により算出された被験者の脂質比率を基にして、この被験者の脂質比率を判定する。脂質比率は、被験者の摂取脂質量を評価するための項目であり、その目標基準は３０％未満である。
脂質は生体の維持に不可欠な栄養素であるが、脂質の重量当りのエネルギー（９ｋｃａｌ／ｇ）は、蛋白質や炭水化物の重量当りのエネルギー（４ｋｃａｌ／ｇ）よりも高く、脂質の摂りすぎは肥満の原因となる。また、脂質の摂りすぎは血中脂質値にも悪影響を及ぼす可能性がある。したがって、被験者の食習慣においては、脂質の摂りすぎは改善すべき問題点となる。
【００８０】
図７に示すように、ステップＳ１５５〜ステップＳ１５６において、生活習慣解析部５４は、ステップＳ１０２の処理により算出された被験者の嗜好品比率を基にして、この被験者の嗜好品比率を判定する。嗜好品比率は、被験者の嗜好品摂取量を評価するための項目であり、その目標基準は１０％未満である。
嗜好品は、一般的に他の食品群よりも糖質含有量が多く、血糖値や血中の中性脂肪を上昇させる。また、嗜好品の摂りすぎは肥満の原因ともなる。したがって、被験者の食習慣においては、嗜好品の摂りすぎは改善すべき問題点となる。
【００８１】
図７に示すように、ステップＳ１５７〜ステップＳ１５８において、生活習慣解析部５４は、ステップＳ１０２の処理により算出された被験者の酒類比率を基にして、この被験者の酒類比率を判定する。酒類比率は、被験者の酒類摂取量を評価するための項目であり、その目標基準は１０％未満である。
酒類はアルコールを含有しており、アルコールは栄養素ではないが、摂取された後体内で代謝されてエネルギーになる。また、酒類には、糖質を含むものもある。このため、酒類の摂りすぎは摂取エネルギーの過剰を引き起こす。さらに、飲酒時には、非飲酒時よりも摂食量が多くなる場合もあり、このような飲酒習慣を持つ人は、著しい摂取エネルギー過剰状態となっている。したがって、被験者の食習慣においては、酒類の摂りすぎは改善すべき問題点となる。
【００８２】
図７に示すように、ステップＳ１５９〜ステップＳ１６０において、生活習慣解析部５４は、ステップＳ１０２の処理により算出された被験者の夕食比率を基にして、この被験者の夕食比率を判定する。夕食比率は、被験者の夕食摂取量を評価するための項目であり、その目標基準は４０％未満である。
夕食比率が高いことは、１日における食事（朝食、昼食、間食、夕食）のリズムの乱れにより引き起こされる。すなわち、朝食の欠食や朝食の摂取不足であったり、夕食を摂る時間が遅いため、夕食摂取量が朝食や昼食の摂取量に比べ多すぎたりする、といった摂食リズムの乱れが夕食比率を高くする。このような摂食リズムの乱れは、肥満の原因となったり、代謝に悪影響を及ぼしたりする可能性がある。したがって、被験者の食習慣においては、夕食比率が高いことは改善すべき問題点となる。
【００８３】
この被験者の食習慣判定処理により、「要改善」と判定された食習慣解析項目については、この被験者の食生活において望ましくない生活習慣であるため、目標基準内に収まるように生活習慣改善指導を行う必要があるといえる。
【００８４】
被験者の食習慣判定結果の一例を図８に示す。被験者の食習慣判定結果では、被験者の各食習慣解析項目が示される。また、「要改善」と判定された食習慣解析項目は、強調して示される。例えば、図８では、推奨蛋白質比率及び嗜好品比率の項目において、数値データの色と、数値データ欄の色とが、他の食習慣解析項目とは異なり、強調して示されている。
【００８５】
被験者の食習慣判定結果の一例を図９に示す。被験者の食習慣判定結果では、被験者の摂食リズムがグラフで示される。この摂食リズムグラフでは、被験者の各食事における摂取エネルギーと、各食事時間とが示される。この摂食リズムグラフにより、被験者の各食事の摂取状況を確認し、被験者の生活習慣改善指導に役立てることができる。
例えば、被験者の摂食リズムが、下記の（１）や（２）になっているかどうかをチェックし、（１）と（２）とを同時に満たしている場合は、この摂食リズムを改善するように指導を行う必要がある。
（１）夕食時間が遅い、又は、夕食からの摂取エネルギー量が多すぎる
（２）朝食を欠食している、又は、朝食からの摂取エネルギー量が少なすぎる
また、間食からの摂取エネルギー量が多すぎる場合は、嗜好品摂取量が多い可能性が高く、このことが高血糖を引き起こす要因となることから、指導するポイントの一つとなる。
【００８６】
次に、被験者の生活リズム判定処理（ステップＳ１０３−３）について説明する。図１０は、被験者の生活リズム判定処理の手順を示すフローチャートである。ステップＳ１０３−３においては、生活習慣解析部５４は、生活習慣解析対象期間における被験者の日次歩数データを基にして、この被験者の身体活動レベルを判定した後、この被験者の生活リズムのグラフを作成し、生活リズムの判定を行う。
【００８７】
図１０に示すように、ステップＳ１７１〜ステップＳ１７５において、生活習慣解析部５４は、生活習慣解析対象期間における被験者の日次歩数データを、生活習慣解析部５４において予め定められた身体活動レベル判定基準と照合し、この被験者の身体活動レベル（ＰＡＬ）を１日ごとに判定する。１日当りの歩数が、１０００歩未満である場合は「身体活動レベル：１」と判断され、１０００〜３９９９歩である場合は「身体活動レベル：２」と判断され、４０００〜７９９９歩である場合は「身体活動レベル：３」と判断され、８０００〜１３９９９歩である場合は「身体活動レベル：４」と判断され、１４０００歩以上である場合は「身体活動レベル：５」と判断される。
【００８８】
このように、被験者の身体活動レベル判定処理により、被験者の身体活動レベルは１日ごとに５段階のレベルのいずれかに評価される。被験者の運動量としては、身体活動レベル２以下（１日当りの歩数４０００歩未満）では運動不足であるといえるため、このような被験者に対しては、身体活動レベル３になるまで少しずつ運動量を増やすよう指導を行うことが望ましい。
【００８９】
次にステップＳ１７６において、生活習慣解析部５４は、ステップＳ１０１の処理により取得された前記被験者の日次身体計測データと、ステップＳ１０２の処理により算出された前記被験者の摂取エネルギー量の日次データと、ステップＳ１７１〜ステップＳ１７５の処理により判定された前記被験者の日次身体活動レベルと、を基にして、前記生活習慣解析対象期間における前記被験者の生活リズムグラフを作成する。
【００９０】
被験者の生活リズムグラフの一例を図１１に示す。図１１の生活リズムグラフでは、被験者の、朝晩の体重の日次変動折れ線グラフ２０１と、朝晩の体脂肪率の日次変動折れ線グラフ２０２とが同時に示され、さらに、この被験者の日次身体活動レベル判定結果データ及び摂取エネルギー量の日次データも同時に示される。
【００９１】
ステップＳ１０３−２では、１週間の平均値として表される食習慣解析項目を用いることにより、被験者の食習慣を日次変動の影響を受けにくい１週間単位で評価したが、ステップＳ１０３−３で行われる生活リズムの判定は、被験者の体重、体脂肪率、身体活動レベル、摂取エネルギー量の日々の変動を評価する。
【００９２】
次にステップＳ１７７における生活リズムの判定は、生活リズムグラフ作成に使用した被験者の体重、体脂肪率、身体活動レベル、摂取エネルギー量の日次データをパラメータとして作成した２次元分布図で行う。
【００９３】
ステップＳ１７７において２次元分布図により生活リズムを判定する一例を、図１２を用いて説明する。図１２は、食事内容適正申告の被験者Ａと食事内容過少申告の被験者Ｂの２次元分布図を対比するために示した例である。図１２の２次元分布図２１１及び２１３は、座標軸のパラメータとして、Ｘ軸に翌朝の体重と当日朝の体重との差をとり、Ｙ軸に当日の摂取エネルギー量をとった２次元分布図である。また、図１２の２次元分布図２１２及び２１４は、座標軸のパラメータとして、Ｘ軸に当日晩の体重と当日朝の体重との差をとり、Ｙ軸に当日の摂取エネルギー量をとった２次元分布図である。２次元分布図２１１及び２１２中の各データは、被験者Ａの当該パラメータの１週間の日次データを示しており、２次元分布図２１３及び２１４中の各データは、被験者Ｂの当該パラメータの１週間の日次データを示している。
【００９４】
図１２の２次元分布図２１１又は２１３を用いることにより、被験者の体重が減少した日（減量日）を判定することができる。例えば、図１２の２次元分布図２１１ではＡ領域に出現している２つの日次データに該当する日が被験者の減量日であると判定される。この被験者の減量日の判定方法は、２次元分布図２１１又は２１３において、被験者の日次データが、分画線Ｌ１よりも摂取エネルギー量が多い領域に出現した場合、この日次データに該当する日をこの被験者の減量日と判定する。
【００９５】
また、被験者の減量日は、図１２の２次元分布図２１２又は２１４を用いることによっても判定することができる。例えば、図１２の２次元分布図２１２ではＢ領域に出現している２つの日次データに該当する日が被験者の減量日であると判定される。この被験者の減量日の判定方法は、２次元分布図２１２又は２１４において、被験者の日次データが、分画線Ｌ３よりも摂取エネルギー量が多い領域に出現した場合、この日次データに該当する日をこの被験者の減量日と判定する。
【００９６】
このように判定された被験者の減量日は、被験者の生活リズムグラフにおいて、例えば赤色で表示される等して、識別可能となるように強調表示される。被験者は、この減量日の食事内容を参考にして、自らに効果的な減量方法を得ることができる。
なお、被験者の減量日の判定には、Ｘ軸とＹ軸がそれぞれ、翌朝の体重と当日朝の体重との差、当日の摂取エネルギー量である２次元分布図を使用してもよいし、Ｘ軸とＹ軸がそれぞれ、当日晩の体重と当日朝の体重との差、当日の摂取エネルギー量である２次元分布図を使用してもよい。
【００９７】
また、図１２の２次元分布図２１１又は２１３を用いることにより、被験者の食事記録に記載された食事内容の信憑性を判定することができる。例えば、図１２の２次元分布図２１３ではＣ領域に出現している１つの日次データに該当する日が被験者の食事内容過少申告日であると判定される。この被験者の食事記録の正確性の判定方法は、２次元分布図２１１又は２１３において、被験者の日次データが、分画線Ｌ２よりも摂取エネルギー量が少ない領域に出現した場合、この日次データに該当する日を、この被験者の食事記録データの食事内容が過少申告されている日と判定する。
【００９８】
また、被験者の食事内容過少申告日は、図１２の２次元分布図２１２又は２１４を用いることによっても判定することができる。例えば、図１２の２次元分布図２１４ではＤ領域に出現している１つの日次データに該当する日が被験者の食事内容過少申告日であると判定される。この被験者の食事記録の正確性の判定方法は、２次元分布図２１２又は２１４において、被験者の日次データが、分画線Ｌ４よりも摂取エネルギー量が少ない領域に出現した場合、この日次データに該当する日を、この被験者の食事記録データの食事内容が過少申告されている日と判定する。
【００９９】
指導者は、この被験者の食事記録の正確性の判定結果を参考にして、被験者の食生活を評価する際に、食事内容過少申告日における被験者の食事記録を、評価対象から除外したり、食事分析結果データを補正したりする等して、被験者に対する生活習慣改善指導に役立てることができる。
なお、被験者の食事記録の正確性の判定には、Ｘ軸とＹ軸がそれぞれ、翌朝の体重と当日朝の体重との差、当日の摂取エネルギー量である２次元分布図を使用してもよいし、Ｘ軸とＹ軸がそれぞれ、当日晩の体重と当日朝の体重との差、当日の摂取エネルギー量である２次元分布図を使用してもよい。
【０１００】
ステップＳ１０３−３の生活リズム判定処理により、被験者の身体活動レベルの評価や減量日の把握が可能となり、これらの結果が被験者の生活リズムグラフに表示される。また、生活リズム判定処理により、被験者の食事記録の正確性が評価可能となる。
【０１０１】
このように、被験者の生活習慣判定処理（ステップＳ１０３）により、被験者の望ましくない生活習慣が抽出され、この判定結果を基にして、被験者の生活習慣改善方法提示処理（ステップＳ１０４）が行われる。
【０１０２】
次に、被験者の生活習慣改善方法提示処理（ステップＳ１０４）について説明する。この処理では、生活習慣解析部５４は、ステップＳ１０３の処理による判定結果と、ステップＳ１０２の処理による被験者の食事記録分析結果等と、を基にして、被験者に対する具体的な生活習慣改善方法を提示する。
【０１０３】
具体例を用いて、ステップＳ１０４の処理手順を示す。なお、具体例として示される図８，図１３，図１４におけるデータは全て、同一の糖尿病被験者の、１回目の生活習慣解析結果データであり、以降の説明では、この被験者のことを被験者Ｓとよぶ。
まず、ステップＳ１０４−１において、ステップＳ１０３の処理により判定された被験者の望ましくない生活習慣を、提示する。例えば、図８のような被験者の食習慣判定結果が提示される。前述したように、図８では、推奨蛋白質比率及び嗜好品比率の項目が強調して示されており、これら２項目が被験者Ｓの望ましくない生活習慣であることがわかる。
なお、ここでは一例として、食習慣判定結果を示したが、摂食リズムグラフや生活リズムグラフ等の他の生活習慣判定結果を示すことにより、被験者の改善すべき生活習慣を提示してもよい。
【０１０４】
次にステップＳ１０４−２において、ステップＳ１０２及びステップＳ１０３の処理により算出された被験者の生活習慣解析結果に関する日次データを、日次推移の形で提示する。この日次推移の提示により、ステップＳ１０４−１において提示された被験者の望ましくない生活習慣に対し、特にどの日が影響を及ぼしたかを特定することができる。この特定された日が、この被験者に対する生活習慣改善指導対象日となる。
【０１０５】
具体的には例えば、図１３のような、被験者の、各栄養成分量及び食品カテゴリー別の摂取量に関する日次推移表が提示される。この日次推移表では、各摂取栄養成分量と、嗜好品からの摂取エネルギー量と、に関する日次データの推移等が示されている。被験者Ｓの場合、ステップＳ１０４−１において、蛋白質摂取と嗜好品摂取とに関する生活習慣が改善すべき生活習慣として提示されたため、蛋白質及び嗜好品の摂取量の日次推移を確認する。被験者Ｓは糖尿病患者であることから、ここでは嗜好品の項目に注目すると、図１３の日次推移表により、特に４月２９日において嗜好品の摂取量が多いことがわかる。したがって、この日を被験者Ｓに対する生活習慣改善指導対象日とする。
なお、ここでは一例として、各栄養成分量及び食品カテゴリー別の摂取量に関する日次推移表を示したが、生活リズムグラフ等の、他の生活習慣解析結果に関する日次データの推移を提示してもよい。
【０１０６】
次にステップＳ１０４−３において、ステップＳ１０２の処理による被験者の食事記録分析結果や、ステップＳ１０１の処理により取得された被験者の実践記録データ等を基にして、ステップＳ１０４−２において特定された被験者の生活習慣改善指導対象日の、食事記録分析結果や実践記録データを提示する。この提示により、ステップＳ１０４−１において提示された被験者の望ましくない生活習慣に対し、特に影響を及ぼした被験者の具体的な行動（食事、運動など）を特定することができるため、被験者に対し具体的な生活習慣改善方法を提示することが可能となる。
【０１０７】
具体的には例えば、図１４のような、被験者の生活習慣改善指導対象日の日次食事記録分析表が提示される。この日次食事記録分析表では、各食事内容、摂取食品・料理ごとの各摂取栄養成分量、及び食事ごとの栄養成分関連項目等の日次データが示されている。被験者Ｓに対しては、嗜好品の摂取に関して指導を行うため、食事内容の中の嗜好品に注目すると、図１４の日次食事記録分析表により、被験者Ｓは、朝食として摂取している食品の全てが嗜好品であり、昼食の一部や間食としても嗜好品を摂取していることがわかる。
【０１０８】
したがって、被験者Ｓに対して、単に「嗜好品の摂取を減らしましょう」といった一般的なアドバイスを与えるだけにとどまらず、例えば、シナモントースト、リンゴ、バナナ、コーヒー無糖、スキムミルク、うるおうコラーゲン、クリームパン、もみじ饅頭といった具体的な食品名を挙げてこれらの摂取を控えるよう助言したり、また、昼食時には、料理類の食品カテゴリーに分類される食品（料理）をしっかり摂ることにより、昼食や間食としての嗜好品摂食をやめるよう、摂食リズムに関するアドバイスを与えたりするといった、被験者Ｓの実際の生活習慣に沿った生活習慣改善指導を行うことが可能となる。
なお、今回の被験者Ｓの例では、嗜好品の摂取のみに関する生活習慣指導対象日が１日だけの例を示したが、生活習慣指導対象日は複数日であってもよく、また、望ましくない生活習慣の全てに関して指導を行うことが望ましい。
【０１０９】
このように、被験者の生活習慣改善方法提示処理により、被験者自身の実践記録データ等を基にして、具体的な生活習慣改善方法を提示し、それぞれの被験者に合わせた生活習慣改善指導を行うことができる。
【０１１０】
次に、被験者の生活習慣行動変容提示処理（ステップＳ１０５）について説明する。この処理では、生活習慣解析部５４は、ステップＳ１０２及びステップＳ１０３の処理により生成された被験者の生活習慣解析結果に関する過去の月次データを基にして、被験者の生活習慣に関する行動変容を数値データの推移として提示する。
【０１１１】
ステップＳ１０５においては、各種の生活習慣解析結果データに関する月次データの推移の提示を行うが、以下にこれらの具体例を示す。なお、具体例として示される図１５〜図２０におけるデータは全て、前述した被験者Ｓの、１回目〜３回目の３回分の生活習慣解析結果データであり、各図において４月，６月，７月のデータがそれぞれ１回目，２回目，３回目の生活習慣解析結果データに相当する。
【０１１２】
ステップＳ１０５においては、例えば、図１５のような、被験者の生活習慣判定結果月次推移表が提示される。この生活習慣判定結果月次推移表では、被験者の体型判定結果及び食習慣判定結果に関する月次データの推移が示され、また、「要改善」と判定された食習慣解析項目は、食習慣判定結果（図８）の場合と同様に強調して示される。被験者Ｓは、１回目の食習慣判定において推奨蛋白質比率及び嗜好品比率の項目が望ましくない生活習慣として判定されたため、これら２項目に注目して図１５をみると、被験者Ｓは、１回目に比べ３回目の判定結果では、推奨蛋白質比率が目標基準にまで改善しており、嗜好品比率が改善傾向にあることがわかる。
【０１１３】
また、ステップＳ１０５においては、例えば、図１６〜図１９のような、被験者の各種の生活習慣解析結果データに関する月次推移グラフが提示される。これらの月次推移グラフにより、被験者の各種の生活習慣解析結果データに関する月次データの推移を視覚的に把握しやすくなる。
【０１１４】
図１６は、被験者の身体データ及び歩数データ月次推移グラフの一例を示す図である。図１６では、被験者Ｓの、ＢＭＩの月次推移グラフ２２１と、体脂肪率の月次推移グラフ２２２と、１日当りの歩数の月次推移グラフ２２３とが示されている。このように、被験者の身体データ及び歩数データ月次推移グラフでは、被験者のＢＭＩ、体脂肪率及び歩数データの月次推移グラフが同時に示される。
【０１１５】
図１７は、被験者の摂取栄養成分量月次推移グラフの一例を示す図である。図１７では、被験者Ｓの、１日当りの蛋白質からの摂取エネルギー量の月次推移グラフ２３１と、１日当りの脂質からの摂取エネルギー量の月次推移グラフ２３２と、１日当りの炭水化物からの摂取エネルギー量の月次推移グラフ２３３と、１日当りの三大栄養素（蛋白質，脂質，及び炭水化物）以外の栄養素からの摂取エネルギー量の月次推移グラフ２３４とが示されている。このように、被験者の摂取栄養成分量月次推移グラフでは、被験者の１日当りの蛋白質，脂質，炭水化物，三大栄養素以外の栄養素，からの各摂取エネルギー量の月次推移が、積み上げ面グラフとして示される。
【０１１６】
図１８は、被験者の摂取リズム月次推移グラフの一例を示す図である。図１８では、被験者Ｓの、１日当りの各食事（朝食，昼食，間食，夕食）からの摂取エネルギー量の月次推移が、それぞれ、月次推移グラフ２４１，２４２，２４３，２４４として示されている。このように、被験者の摂食リズム月次推移グラフでは、被験者の１日当りの朝食，昼食，間食，夕食からの各摂取エネルギー量の月次推移が、積み上げ面グラフとして示される。
【０１１７】
図１９は、被験者の食品カテゴリー別摂取量月次推移グラフの一例を示す図である。図１９では、被験者Ｓの、１日当りの菓子類，果物，飲料類からの摂取エネルギー量の月次推移が、それぞれ、月次推移グラフ２５１，２５２，２５３として示されている。なお、被験者Ｓの場合、酒類からの摂取エネルギー量がゼロであるため、酒類からの摂取エネルギー量の月次推移グラフは図１９では示されていない。このように、嗜好品類が菓子類，果物，飲料類に細分化され、被験者の食品カテゴリー別摂取量月次推移グラフでは、被験者の１日当りの菓子類，果物，飲料類，酒類からの各摂取エネルギー量の月次推移が、積み上げ面グラフとして示される。
【０１１８】
被験者Ｓの場合、嗜好品の摂取に注目して図１９をみると、被験者Ｓは、１回目、２回目、３回目と進むにつれて順調に嗜好品からの摂取エネルギー量を減らしていることがわかり、さらに嗜好品の中でも、菓子類からの摂取エネルギー量を減らしていることがわかる。
【０１１９】
また、ステップＳ１０５においては、例えば、図２０のような、被験者の生活習慣解析結果月次推移表が提示される。この生活習慣解析結果月次推移表では、被験者の身体データ，歩数データ，食習慣解析項目，及び１日当りの各摂取栄養成分量、の各項目について、この被験者の目標値と、初回及び直近２回分の生活習慣解析結果の月次データと、直近２回分の生活習慣解析結果の月次変化値とが示される。この生活習慣解析結果月次推移表により、被験者の現在の各種生活習慣が、１月前からの変化や、当初の目標との比較等の観点でも、数値データとして定量的に評価することが可能となる。
なお、図２０においては、被験者の血圧，血糖関連項目，血中脂質関連項目，及び腹囲等の月次検査データが示されていないが、これらの月次検査データを被験者の生活習慣解析結果月次推移表の中に組み入れて示してもよい。このようにすれば、被験者の生活習慣の変化と、生活習慣病関連の検査データの推移とを同時に確認することができるため、被験者の生活習慣と生活習慣病との関連を把握しやすくなる。
【０１２０】
このように、被験者の生活習慣行動変容提示処理により、被験者の生活習慣に関する行動変容が、数値化された生活習慣解析結果の推移として示されるため、指導者は、被験者に対する生活習慣改善指導の効果を時系列で定量的に評価することができ、また、被験者は、被験者自身の生活習慣の改善を客観的に把握し、生活習慣解析結果データの改善を励みとして、望ましくない生活習慣の改善に役立てることができる。
【０１２１】
以上、説明してきたように、この生活習慣解析方法を用いることにより、各被験者の改善すべき生活習慣の抽出と、この抽出された生活習慣を改善するための具体的な方法の選択とを行うことができるため、各被験者に合わせた生活習慣改善指導を行うことが可能になる。また、被験者の生活習慣に関する行動変容を数値データの推移として把握することができるため、各被験者に対する生活習慣改善指導の効果を時系列でモニターすることが可能となる。
【０１２２】
以上、本発明の実施形態を詳述してきたが、本発明は、この実施形態に限られるものではなく、本発明の主旨を逸脱しない範囲において、適宜変更して実施できる。例えば、上述した実施形態では採用していないが、本発明の生活習慣解析方法をコンピュータに実現させるためのプログラムを記録した記録媒体であってもよい。
【符号の説明】
【０１２３】
１    生活習慣解析システム
２    生活習慣解析Ｗｅｂ／アプリケーション（ＡＰ）サーバ
３    受信記録データベース（ＤＢ）メールサーバ
４    食品データベース（ＤＢ）サーバ
５    症例データベース（ＤＢ）サーバ
６    指導者端末装置
７    被験者端末装置
８    インターネット
９    イントラネット
１１，２１，３１，４１  主記憶装置
１２，２２，３２，４２  補助記憶装置
１３，２３，３３，４３  中央処理装置
１４，２４，３４，４４  入力装置
１５，２５，３５，４５  出力装置
１６，２６，３６，４６  内部通信装置
１７，２７  外部通信装置
５１  Ｗｅｂ管理部
５２  指導者認証部
５３  生データ登録部
５４  生活習慣解析部
５５  メール管理部
５６，５７，５８  データベース（ＤＢ）管理部
６１  被験者データベース（ＤＢ）
６２  受信記録データベース（ＤＢ）
６３  食品データベース（ＤＢ）
６４  症例データベース（ＤＢ）
【図１】
0005853348.tif 000002
【図２】
0005853348.tif 000003
【図３】
0005853348.tif 000004
【図４】
0005853348.tif 000005
【図５】
0005853348.tif 000006
【図６】
0005853348.tif 000007
【図７】
0005853348.tif 000008
【図８】
0005853348.tif 000009
【図９】
0005853348.tif 000010
【図１０】
0005853348.tif 000011
【図１１】
0005853348.tif 000012
【図１２】
0005853348.tif 000013
【図１３】
0005853348.tif 000014
【図１４】
0005853348.tif 000015
【図１５】
0005853348.tif 000016
【図１６】
0005853348.tif 000017
【図１７】
0005853348.tif 000018
【図１８】
0005853348.tif 000019
【図１９】
0005853348.tif 000020
【図２０】
0005853348.tif 000021